(57)【要約】【課題】移動局において、通信先となる基地局の選択に要する処理時間を短縮し、また、通信先となる基地局を適切に選択できるようにすること。【解決手段】携帯電話機４０は、周辺基地局３０との通信品質が、通信先に指定されている待受基地局３０との通信品質に「Ｑｈｔｓｔ」の値を加算して得られる基準値より高いことを検出してから、この状態の成立し続ける時間が「Ｔｒｅｓｅｌｅｃｔｉｏｎ」により定められた時間を越える前までに、周辺基地局３０の報知情報を受信する。また、携帯電話機４０は、待受基地局３０の変更条件を満たした周辺基地局３０を検出してから、この周辺基地局３０の報知情報を受信して基地局情報記憶領域の情報を書き替えるまでは、待受基地局３０の変更条件を満たす新たな周辺基地局３０の検出結果を無効とする。【選択図】      図１
2004357006.tif 000002
【特許請求の範囲】
【請求項１】
基地局との通信に用いる情報を記憶する記憶手段と、
前記記憶手段に記憶された情報により特定される第１の基地局との通信品質と、当該移動局との通信が可能な第２の基地局との通信品質とを測定する測定手段と、
前記第２の基地局との通信品質が、前記第１の基地局との通信品質に基づいて定められる基準値より高いことを検出する第１の検出手段と、
前記第１の検出手段により前記第２の基地局との通信品質が前記基準値より高いと検出され続けた時間を計時する計時手段と、
前記計時手段による計時時間が予め定められた時間を越えたことを検出する第２の検出手段と、
前記第１の検出手段により前記第２の基地局との通信品質が前記基準値より高いと検出されてから、前記第２の検出手段により前記計時時間が予め定められた時間を越えたと検出される前までに、前記第２の基地局から当該第２の基地局との通信に用いる情報を受信する受信手段と、
前記第２の検出手段により前記計時時間が予め定められた時間を越えたと検出された場合に、前記記憶手段に記憶された情報を前記受信手段により受信された情報に書き替える書替手段と、
前記記憶手段に記憶された情報を用いて当該情報により特定される基地局と通信を行う通信手段と
を有することを特徴とする移動局。
【請求項２】
当該移動局との通信が可能な各基地局との通信品質を測定する測定手段と、
前記測定手段による測定結果に基づいて、前記各基地局の中から当該移動局の通信先とする基地局を選択する選択手段と、
前記選択手段により選択された基地局から当該基地局との通信に用いる情報を受信する受信手段と、
前記受信手段により受信された情報を記憶する記憶手段と、
前記選択手段により基地局が選択されてから、当該基地局より受信した情報が前記記憶手段に記憶されるまでは、前記選択手段による基地局の選択を無効にする無効手段と、
前記記憶手段に記憶された情報を用いて当該情報により特定される基地局と通信を行う通信手段と
を有することを特徴とする移動局。
【請求項３】
当該移動局との通信が可能な各基地局との通信品質を測定する測定手段と、
前記測定手段による測定結果に基づいて、前記各基地局の中から当該移動局の通信先とする第１の基地局を選択する選択手段と、
前記選択手段により選択された第１の基地局から当該第１の基地局との通信に用いる情報を受信する受信手段と、
前記受信手段により受信された情報を記憶する記憶手段と、
前記選択手段により第１の基地局が選択されてから、当該第１の基地局より受信した情報が前記記憶手段に記憶されるまでに、前記選択手段により第２の基地局が選択された場合は、当該第２の基地局を示す情報を保持する一方、当該選択結果を無効とする無効手段と、
前記記憶手段に記憶された情報を用いて当該情報により特定される基地局と通信を行う通信手段とを有し、
前記測定手段は、前記第１の基地局から受信した情報が前記記憶手段に記憶された後、前記第１の基地局との通信品質と、前記第２の基地局との通信品質とを測定し、
前記選択手段は、前記測定手段による測定結果に基づいて、当該移動局の通信先を前記第１の基地局および前記第２の基地局より選択する
ことを特徴とする移動局。
【請求項４】
当該移動局との通信が可能な各基地局との通信品質を測定する測定手段と、
前記測定手段による測定結果に基づいて、前記各基地局の中から当該移動局の通信先とする第１の基地局を選択する選択手段と、
前記選択手段により選択された第１の基地局から当該第１の基地局との通信に用いる情報を受信する受信手段と、
前記受信手段により受信された情報を記憶する記憶手段と、
前記記憶手段に記憶された情報を用いて当該情報により特定される基地局と通信を行う通信手段とを有し、
前記測定手段は、前記選択手段により第１の基地局が選択されてから、当該第１の基地局より受信した情報が前記記憶手段に記憶されるまでに、前記選択手段により第２の基地局が選択された場合、前記第１の基地局との通信品質と、前記第２の基地局との通信品質とを測定し、
前記選択手段は、前記測定手段による測定結果に基づいて、当該移動局の通信先を前記第１の基地局および前記第２の基地局より選択する
ことを特徴とする移動局。
【発明の詳細な説明】
【０００１】
【発明の属する技術分野】
この発明は、移動局において通信先となる基地局を選択する技術に関する。
【０００２】
【従来の技術】
例えば、セルの境界付近に位置する移動局は、複数の基地局と通信可能である。このような場合に移動局は、通信可能な各基地局との通信品質を測定し、測定結果に基づいて自局との通信に適した基地局を選択する。しかしながら、このような移動局が、例えば、基地局Ａのカバーするセルと基地局Ｂのカバーするセルの境界付近を移動している場合、通信先として選択される基地局が、基地局Ａと基地局Ｂとの間で頻繁に切り替わり、移動局のバッテリーを無駄に消費してしまうおそれがある。
【０００３】
このため、例えば、交信先に指定されている基地局の止まり木チャネルの受信レベルを周辺基地局の止まり木チャネルの受信レベルから減算した値が、予め定められた基準値より大きく、かつ、このような結果が所定の測定回数にわたり連続して得られること、という条件を用いて交信先の基地局を切り替える移動局がある（特許文献１参照）。
【０００４】
また、ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎ  ２０００）に準拠した移動局では、例えば、以下に示す（式１）と、パラメータ「Ｑｈｔｓｔ」および「Ｔｒｅｓｅｌｅｃｔｉｏｎ」とを用いて基地局の選択を行っている。以下に、図１５および図１６を参照してＩＭＴ−２０００に準拠した移動局における基地局の選択方法について説明する。
【式１】
2004357006.tif 000003
【０００５】
なお、（式１）において、「待受基地局」とは、現時点において移動局の通信先に指定されている基地局であり、「周辺基地局」とは、移動局との通信が可能な複数の基地局のうち、「待受基地局」を除いた残りの各基地局である。また、「Ｑｈｔｓｔ」は、通信品質の加減量を示すパラメータであり、図１５および図１６に示す「Ｔｒｅｓｅｌｅｃｔｉｏｎ」は、時間量を示すパラメータである。このパラメータ「Ｑｈｔｓｔ」および「Ｔｒｅｓｅｌｅｃｔｉｏｎ」については、非特許文献１に記載されている。また、図１５および図１６では、タイミングＴ１以前に待受基地局として基地局Ａが選択されており、周辺基地局として基地局Ｂおよび基地局Ｃが存在しているものとする。
【０００６】
さて、図１５に示すように移動局は、例えば、周辺基地局である基地局Ｂについて（式１）が成立した後（タイミングＴ１）、この（式１）の成立し続けている時間が「Ｔｒｅｓｅｌｅｃｔｉｏｎ」によって定められた時間を越えた場合に（タイミングＴ２）、基地局Ｂの報知情報の受信を開始する。そして、移動局は、基地局Ｂの報知情報の受信が完了した後に（タイミングＴ３）、受信した報知情報から得られる、例えば、使用する無線チャネルを指定する情報等の、基地局Ｂとの通信を行うために必要となる情報をメモリに書き込む（タイミングＴ４）。これにより基地局Ｂが待受基地局となる。
【０００７】
また、移動局は、図１６に示すように、タイミングＴ３より基地局Ｂの報知情報の受信を開始するが、この基地局Ｂの報知情報を受信している途中で別の周辺基地局である基地局Ｃについて、（式１）の成立し続けている時間が「Ｔｒｅｓｅｌｅｃｔｉｏｎ」によって定められた時間を越えた場合は（タイミングＴ４）、基地局Ｂを待受基地局とするための処理を中止し、基地局Ｃを待受基地局とするための処理を開始する。
【０００８】
【特許文献１】
特開２０００−２９９８８５号公報
【非特許文献１】
３ＧＰＰ  ＴＳ２５．３０４
【０００９】
【発明が解決しようとする課題】
ところで、従来の移動局では、図１５に示したように、既にタイミングＴ２で、待受基地局の変更条件を基地局Ｂが満たしているにも係らず、タイミングＴ４に到達するまでは基地局Ｂを待受基地局とすることができない。
【００１０】
また、従来の移動局では、図１６に示したように、基地局Ｂの報知情報を受信している途中で、待受基地局の変更条件を満たした新たな基地局Ｃを検出した場合（タイミングＴ４）、仮に、基地局Ｂとの通信品質が基地局Ｃとの通信品質より高い場合であっても、先に待受基地局の変更条件を満たした基地局Ｂについての処理を中止し、後から待受基地局の変更条件を満した基地局Ｃについての処理を行うようになっている。このため従来の移動局では、自局との通信に適した基地局を選択していない場合があった。
【００１１】
さらに、図１６に示したように、タイミングＴ３，Ｔ４において待受基地局に適した基地局Ｂ，Ｃを検出しているにも係らず、待受基地局はタイミングＴ６に到達するまで基地局Ａから変更されない。同図において、仮に、基地局Ｃの報知情報を受信している途中で、さらに別の周辺基地局が待受基地局の変更条件を満たした場合、待受基地局が基地局Ａから変更されない期間はさらに延びてしまう。このような状態が続くと、移動局が通信をしようとした時には、既に待受基地局（基地局Ａ）との無線コネクションを確立することができず、通信ができないおそれもある。
【００１２】
本発明は、以上説明した事情に鑑みてなされたものであり、その目的は、移動局において、通信先となる基地局の選択に要する処理時間を短縮し、また、通信先となる基地局を適切に選択できるようにすることである。
【００１３】
【課題を解決するための手段】
上記課題を解決するために、この発明は、基地局との通信に用いる情報を記憶する記憶手段と、
前記記憶手段に記憶された情報により特定される第１の基地局との通信品質と、当該移動局との通信が可能な第２の基地局との通信品質とを測定する測定手段と、
前記第２の基地局との通信品質が、前記第１の基地局との通信品質に基づいて定められる基準値より高いことを検出する第１の検出手段と、
前記第１の検出手段により前記第２の基地局との通信品質が前記基準値より高いと検出され続けた時間を計時する計時手段と、
前記計時手段による計時時間が予め定められた時間を越えたことを検出する第２の検出手段と、
前記第１の検出手段により前記第２の基地局との通信品質が前記基準値より高いと検出されてから、前記第２の検出手段により前記計時時間が予め定められた時間を越えたと検出される前までに、前記第２の基地局から当該第２の基地局との通信に用いる情報を受信する受信手段と、
前記第２の検出手段により前記計時時間が予め定められた時間を越えたと検出された場合に、前記記憶手段に記憶された情報を前記受信手段により受信された情報に書き替える書替手段と、
前記記憶手段に記憶された情報を用いて当該情報により特定される基地局と通信を行う通信手段と
を有する移動局を提供する。
【００１４】
この発明によれば、移動局は、第１の検出手段により第２の基地局との通信品質が基準値より高いと検出されてから、第２の検出手段により計時時間が予め定められた時間を越えたと検出される前までに、第２の基地局から当該第２の基地局との通信に用いる情報を受信する。
【００１５】
また、この発明は、当該移動局との通信が可能な各基地局との通信品質を測定する測定手段と、
前記測定手段による測定結果に基づいて、前記各基地局の中から当該移動局の通信先とする基地局を選択する選択手段と、
前記選択手段により選択された基地局から当該基地局との通信に用いる情報を受信する受信手段と、
前記受信手段により受信された情報を記憶する記憶手段と、
前記選択手段により基地局が選択されてから、当該基地局より受信した情報が前記記憶手段に記憶されるまでは、前記選択手段による基地局の選択を無効にする無効手段と、
前記記憶手段に記憶された情報を用いて当該情報により特定される基地局と通信を行う通信手段と
を有する移動局を提供する。
【００１６】
この発明によれば、移動局は、選択手段により基地局が選択されてから、当該基地局より受信した情報が記憶手段に記憶されるまでは、選択手段による基地局の選択を無効にする。
【００１７】
また、この発明は、当該移動局との通信が可能な各基地局との通信品質を測定する測定手段と、
前記測定手段による測定結果に基づいて、前記各基地局の中から当該移動局の通信先とする第１の基地局を選択する選択手段と、
前記選択手段により選択された第１の基地局から当該第１の基地局との通信に用いる情報を受信する受信手段と、
前記受信手段により受信された情報を記憶する記憶手段と、
前記選択手段により第１の基地局が選択されてから、当該第１の基地局より受信した情報が前記記憶手段に記憶されるまでに、前記選択手段により第２の基地局が選択された場合は、当該第２の基地局を示す情報を保持する一方、当該選択結果を無効とする無効手段と、
前記記憶手段に記憶された情報を用いて当該情報により特定される基地局と通信を行う通信手段とを有し、
前記測定手段は、前記第１の基地局から受信した情報が前記記憶手段に記憶された後、前記第１の基地局との通信品質と、前記第２の基地局との通信品質とを測定し、
前記選択手段は、前記測定手段による測定結果に基づいて、当該移動局の通信先を前記第１の基地局および前記第２の基地局より選択する
ことを特徴とする移動局を提供する。
【００１８】
この発明によれば、移動局は、選択手段により第１の基地局が選択されてから、当該第１の基地局より受信した情報が記憶手段に記憶されるまでに、選択手段により第２の基地局が選択された場合は、第２の基地局を示す情報を保持する一方で当該選択結果を無効とし、第１の基地局から受信した情報が記憶手段に記憶された後に、第１の基地局との通信品質と、第２の基地局との通信品質とを測定し、測定結果に基づいて当該移動局の通信先を第１の基地局および第２の基地局より選択する。
【００１９】
また、この発明は、当該移動局との通信が可能な各基地局との通信品質を測定する測定手段と、
前記測定手段による測定結果に基づいて、前記各基地局の中から当該移動局の通信先とする第１の基地局を選択する選択手段と、
前記選択手段により選択された第１の基地局から当該第１の基地局との通信に用いる情報を受信する受信手段と、
前記受信手段により受信された情報を記憶する記憶手段と、
前記記憶手段に記憶された情報を用いて当該情報により特定される基地局と通信を行う通信手段とを有し、
前記測定手段は、前記選択手段により第１の基地局が選択されてから、当該第１の基地局より受信した情報が前記記憶手段に記憶されるまでに、前記選択手段により第２の基地局が選択された場合、前記第１の基地局との通信品質と、前記第２の基地局との通信品質とを測定し、
前記選択手段は、前記測定手段による測定結果に基づいて、当該移動局の通信先を前記第１の基地局および前記第２の基地局より選択する
ことを特徴とする移動局を提供する。
【００２０】
この発明によれば、移動局は、選択手段により第１の基地局が選択されてから、当該第１の基地局より受信した情報が記憶手段に記憶されるまでに、選択手段により第２の基地局が選択された場合は、第１の基地局との通信品質と、第２の基地局との通信品質とを測定し、測定結果に基づいて当該移動局の通信先を第１の基地局および第２の基地局より選択する。
【００２１】
【発明の実施の形態】
以下、図面を参照して本発明の実施形態について説明する。なお、各図において共通する部分には、同一の符号が付されている。
［Ａ．第１実施形態］
［Ａ−１．実施形態の構成］
＜１．移動電話網の構成＞
【００２２】
図１は、本発明の第１実施形態に係る移動電話網１０の構成を例示する図である。同図に示すように移動電話網１０は、基地局３０ａ，３０ｂ，３０ｃと、携帯電話機４０とを有している。また、この移動電話網１０は、ＩＭＴ−２０００に準拠している。なお、以降、本明細書においては、特に区別を必要としない限り、基地局３０ａ，３０ｂ，３０ｃの各々を「基地局３０」、セル３５ａ，３５ｂ，３５ｃの各々を「セル３５」と記載する。
【００２３】
基地局３０は、自局３０がカバーするセル３５内に位置する携帯電話機４０と無線通信を行う。また、基地局３０は、使用可能な無線チャネルを指定する情報や基地局ＩＤ（セルＩＤ）等を含んだ報知情報を自局３０のセル３５内に周期的に放送している。
【００２４】
携帯電話機４０は、移動電話網１０に収容される他の携帯電話機４０や、図示を省略した固定電話網に接続されている電話機と音声通信を行う。例えば、図１に示すようにセル３５ａ，３５ｂ，３５ｃの重なり合うエリアに携帯電話機４０が位置している場合、この携帯電話機４０は、基地局３０ａ，３０ｂ，３０ｃのいずれとも通信可能である。このような場合に携帯電話機４０は、基地局３０ａ，３０ｂ，３０ｃの中から自機４０との通信に最も適した基地局３０を選択して通信を行う。
【００２５】
＜２．携帯電話機の構成＞
図２は、携帯電話機４０のハードウェア構成を例示するブロック図である。同図に示すように携帯電話機４０は、ＣＰＵ４０１と、操作入力部４０２と、通話処理部４０３と、無線通信部４０４と、表示部４０５と、記憶部４０６とを有しており、これらの各部はバス４１０により接続されている。
【００２６】
ＣＰＵ４０１は、記憶部４０６に記憶されている各種のプログラムを実行することにより、バス４１０を介して接続されている装置各部を制御する。また、ＣＰＵ４０１は、図示を省略したタイマカウンタを有しており、タイマカウンタの計数値に基づいて時間を計時する機能を有している。操作入力部４０２は、数字や文字、操作指示等を入力するための複数のキーを有しており、これらのキーの操作に応じた操作信号をＣＰＵ４０１に出力する。通話処理部４０３は、例えば、マイクロフォンやスピーカ、音声処理部等を有しており、ＣＰＵ４０１の制御の下、呼の接続や切断等を含む通話処理を行う。
【００２７】
無線通信部４０４は、ＣＰＵ４０１の制御の下、基地局３０との無線通信を制御する。また、無線通信部４０４は、基地局３０から受信した信号の電波受信レベルを測定する機能を有している。表示部４０５は、液晶パネルやその表示制御を行う駆動回路を有している。
【００２８】
記憶部４０６は、ＲＯＭ４０７と、ＲＡＭ４０８と、不揮発性メモリ４０９とを有している。また、不揮発性メモリ４０９には、基地局情報記憶領域４０９ａが設けられている。この基地局情報記憶領域４０９ａには、携帯電話機４０の通信先となる基地局３０から受信した、例えば、使用可能な無線チャネルを指定する情報や基地局ＩＤ等が記憶される。なお、携帯電話機４０の通信先となる基地局３０は、携帯電話機４０の現在位置等に応じて適宜変更される。
【００２９】
また、不揮発性メモリ４０９には、後述する基地局選択処理１（図３参照）において用いられるパラメータ「Ｑｈｔｓｔ」および「Ｔｒｅｓｅｌｅｃｔｉｏｎ」が記憶されている。本明細書における従来の技術の欄に記載したように、「Ｑｈｔｓｔ」は、通信品質の加減量を示すパラメータであり、「Ｔｒｅｓｅｌｅｃｔｉｏｎ」は、時間量を示すパラメータである。また、この「Ｑｈｔｓｔ」や「Ｔｒｅｓｅｌｅｃｔｉｏｎ」の値は、固定値であってもよいが、例えば、基地局３０や図示を省略した交換局が、移動電話網１０のトラフィックや時間帯に応じて異なる値を設定し、携帯電話機４０に通知することもできる。
【００３０】
［Ａ−２．第１実施形態の動作］
図３は、携帯電話機４０においてＣＰＵ４０１により実行される基地局選択処理１の動作を例示するフローチャートである。この基地局選択処理１は、携帯電話機４０が待ち受け状態にあり、かつ複数の基地局３０と通信可能である場合に実行される。ここで、待ち受け状態とは、携帯電話機４０の電源が投入されており、かつ通話が行われていない状態である。
【００３１】
なお、基地局選択処理１を行う前提として、現時点において携帯電話機４０の通信先となる基地局３０は既に選択されており、この基地局３０から受信した、使用可能な無線チャネルを指定する情報等が基地局情報記憶領域４０９ａに記憶されているものとする。また、以降、本明細書では、携帯電話機４０の通信先に指定されている基地局３０を「待受基地局３０」と記載する。また、携帯電話機４０との通信が可能な複数の基地局３０のうち、待受基地局３０を除いた残りの各基地局３０を「周辺基地局３０」と記載する。
【００３２】
同図に示すように、まず、ＣＰＵ４０１は、通信可能な各基地局３０との通信品質を測定する（ステップＳ１０１）。この際、ＣＰＵ４０１は、各基地局３０から受信した信号の電波受信レベルを無線通信部４０４に測定させ、測定結果を各基地局３０との通信品質として用いる。なお、通信品質は、基地局３０からの信号の誤り率を求めることにより得てもよい。
【００３３】
次いで、ＣＰＵ４０１は、不揮発性メモリ４０９からパラメータ「Ｑｈｔｓｔ」の値を読み出し、測定された各基地局３０との通信品質と、「Ｑｈｔｓｔ」の値とを用いて、以下に示す（式１）が成立するか否かを判定する（ステップＳ１０２）。なお、（式１）において「Ｑｈｔｓｔ」の値は、“０”であってもよい。この場合は、単純に、周辺基地局３０との通信品質と、待受基地局３０との通信品質とを比較することになる。
【式１】
2004357006.tif 000004
【００３４】
その結果、ＣＰＵ４０１は、（式１）が成立していない場合は、ステップＳ１０３に移行し、計時処理が既に開始されている場合は計時時間の値を“０”にクリアした後、上記ステップＳ１０１に戻る。一方、ＣＰＵ４０１は、（式１）が成立している場合、すなわち、周辺基地局３０との通信品質が、待受基地局３０との通信品質にパラメータ「Ｑｈｔｓｔ」の値を加算して得られる基準値より高い場合は、ステップＳ１０４に移行する。そして、ＣＰＵ４０１は、（式１）が成立し続けている時間を計時する計時処理が既に開始されているか否かを判別し（ステップＳ１０４）、計時処理が既に開始されている場合はステップＳ１０７に移行する。
【００３５】
また、ＣＰＵ４０１は、計時処理が開始されていない場合は、計時処理を開始するとともに（ステップＳ１０５）、この時点から、（式１）における周辺基地局３０の報知情報の受信を開始する（ステップＳ１０６）。なお、周辺基地局３０から受信した報知情報は、ＲＡＭ４０８に記憶される。
【００３６】
次いで、ＣＰＵ４０１は、不揮発性メモリ４０９からパラメータ「Ｔｒｅｓｅｌｅｃｔｉｏｎ」の値を読み出し、計時時間が「Ｔｒｅｓｅｌｅｃｔｉｏｎ」により定められた時間を越えたか否かを判定する（ステップＳ１０７）。なお、本実施形態においてパラメータ「Ｔｒｅｓｅｌｅｃｔｉｏｎ」により示される時間量は、基地局３０の報知情報の受信に要する時間より十分に大きいものとする。このステップＳ１０７によりＣＰＵ４０１は、（式１）の成立し続けている時間が「Ｔｒｅｓｅｌｅｃｔｉｏｎ」により定められた時間を越えているか否かを判定し、計時時間が「Ｔｒｅｓｅｌｅｃｔｉｏｎ」により定められた時間を越えるまで、ステップＳ１０１〜Ｓ１０７までの処理を繰り返す。
【００３７】
そして、計時時間が「Ｔｒｅｓｅｌｅｃｔｉｏｎ」により定められた時間を越えた場合（ステップＳ１０７：ＹＥＳ）、ＣＰＵ４０１は、ＲＡＭ４０８に記憶されている周辺基地局３０の報知情報を用いて、基地局情報記憶領域４０９ａに記憶されている情報を書き替える（ステップＳ１０８）。これにより周辺基地局３０が新たな待受基地局３０となる。この後、ＣＰＵ４０１は、計時時間の値を“０”にクリアした後（ステップＳ１０９）、基地局選択処理１を終える。
【００３８】
このようにして基地局選択処理１を終えた後、携帯電話機４０は、位置登録や発呼、着呼等に関する処理を行う場合に、基地局情報記憶領域４０９ａに記憶されている情報を用いて待受基地局３０との無線コネクションを確立し、通信を開始する。
【００３９】
図４は、基地局選択処理１の動作を示すタイミングチャートである。なお、同図においては、タイミングＴ１以前に待受基地局３０として基地局３０ａが選択されており、また、周辺基地局３０として基地局３０ｂが存在している場合を示している。同図に示すように基地局選択処理１では、（式１）が成立すると（タイミングＴ１）、待受基地局３０の候補となる基地局３０ｂについて報知情報の受信を開始している。したがって、（式１）の成立し続けている時間が「Ｔｒｅｓｅｌｅｃｔｉｏｎ」により定められた時間を越え、基地局３０ｂを待受基地局３０とすることが決定された後は（タイミングＴ３）、ＲＡＭ４０８に記憶されている基地局３０ｂの報知情報を用いて基地局情報記憶領域４０９ａの情報を書き替えるだけでよい。
【００４０】
図１５と比較すると明らかとなるように、本実施形態に係る携帯電話機４０は、従来の移動局に比べ、報知情報の受信に要する時間の分だけ、待受基地局３０の変更に要する処理時間を短縮できる。また、図４においてタイミングＴ３よりも前で報知情報の受信を開始すれば、少なくとも従来の移動局に比べて、待受基地局３０の変更に要する処理時間を短縮できる。
【００４１】
なお、上述した基地局選択処理１では、（式１）が成立した時点から周辺基地局３０についての報知情報の受信を開始するようにしたが、報知情報の受信開始条件として以下に示す（式２）を用いてもよい。
【式２】
2004357006.tif 000005
【００４２】
この（式２）において、「ｘ」は、通信品質の加減量を示すパラメータである。このパラメータ「ｘ」の値を変えることにより、図５に示すように報知情報の受信開始タイミングを変更することができる。「ｘ」の値を大きくすると、報知情報の受信開始タイミングを遅くすることができる一方、「ｘ」の値を小さくすると、報知情報の受信開始タイミングが早くなる。また、このパラメータ「ｘ」の値は、負の値とすることも可能であり、「ｘ」の値を負の値とした場合には、（式１）が成立する時点よりも前から、報知情報の受信が開始されることになる。なお、（式２）は、あくまで報知情報の受信開始条件であり、同図に示すように、パラメータ「Ｔｒｅｓｅｌｅｃｔｉｏｎ」により定められる時間の計時は、（式１）が成立した時点から開始される。
【００４３】
また、報知情報の受信を開始するタイミングを以下のように設定してもよい。すなわち、報知情報の受信を開始してから該報知情報の受信を完了してＲＡＭ４０８に記憶するまでの所要時間を求め、これを時間Ａとした場合に、図６に示すように、（式１）が成立した後、時間Ａが経過した時点から（タイミングＴ２）、報知情報の受信を開始するようにしてもよい。このような構成とすれば、（式１）が１度成立したものの、すぐに不成立となってしまうような場合に、報知情報を受信してＲＡＭ４０８に記憶する処理を無駄に行わずに済む。
【００４４】
以降、第２〜第４実施形態について説明するが、第２〜第４実施形態に係る携帯電話機のハードウェア構成は、第１実施形態において説明した携帯電話機４０のハードウェア構成と同様であるので説明を省略する。また、第２〜第４実施形態において、第１実施形態と共通する部分には同一の符号を使用する。
【００４５】
［Ｂ．第２実施形態］
図７は、携帯電話機４０においてＣＰＵ４０１により実行される基地局選択処理２の動作を例示するフローチャートである。この基地局選択処理２は、第１実施形態において説明した基地局選択処理１（図３参照）と同様に、携帯電話機４０が待ち受け状態で、かつ複数の基地局３０と通信可能である場合に実行される。
【００４６】
同図に示すように、まず、ＣＰＵ４０１は、通信可能な各基地局３０との通信品質を測定する。また、ＣＰＵ４０１は、不揮発性メモリ４０９からパラメータ「Ｑｈｔｓｔ」および「Ｔｒｅｓｅｌｅｃｔｉｏｎ」の値を読み出す。そして、ＣＰＵ４０１は、測定された各基地局３０との通信品質と、「Ｑｈｔｓｔ」および「Ｔｒｅｓｅｌｅｃｔｉｏｎ」の値と、前述した（式１）とを用いて、（式１）の成立し続けている時間が「Ｔｒｅｓｅｌｅｃｔｉｏｎ」により定められた時間を越えているか否かを判別する（ステップＳ２０１）。このステップＳ２０１によりＣＰＵ４０１は、待受基地局３０の変更条件を満たす周辺基地局３０の出現を監視している。
【００４７】
その結果、ＣＰＵ４０１は、（式１）の成立し続けている時間が「Ｔｒｅｓｅｌｅｃｔｉｏｎ」により定められた時間を越えておらず、待受基地局３０を変更する必要がないと判別した場合は（ステップＳ２０２：ＮＯ）、上記ステップＳ２０１に戻る。また、ＣＰＵ４０１は、（式１）の成立し続けている時間が「Ｔｒｅｓｅｌｅｃｔｉｏｎ」により定められた時間を越えており、待受基地局３０を変更する必要があると判別した場合は（ステップＳ２０２：ＹＥＳ）、ステップＳ２０３に移行する。
【００４８】
ステップＳ２０３においてＣＰＵ４０１は、現時点よりも前の段階で待受基地局３０の変更条件を満たした周辺基地局３０があり、この周辺基地局３０の報知情報を受信して基地局情報記憶領域４０９ａの情報を書き替える処理が継続中であるか否かを判定する（ステップＳ２０３）。以降、本明細書では、待受基地局３０の変更条件を満たした周辺基地局３０を検出してから、報知情報を受信して基地局情報記憶領域４０９ａの情報を書き替えるまでの処理を「書替処理」と記載する。
【００４９】
例えば、待受基地局３０の変更条件を満たした周辺基地局３０が初めて現れた場合や、既に書替処理が終了している場合等、書替処理が継続中でない場合（ステップＳ２０３：ＮＯ）、ＣＰＵ４０１は、ステップＳ２０４に移行し、待受基地局３０の変更条件を満たしたとして新たに検出された周辺基地局３０について書替処理を行なう。すなわち、ＣＰＵ４０１は、周辺基地局３０からの報知情報の受信を開始し（ステップＳ２０４）、報知情報の受信を終えると（ステップＳ２０５：ＹＥＳ）、受信した報知情報を用いて基地局情報記憶領域４０９ａの情報を書き替える（ステップＳ２０６）。これにより周辺基地局３０が新たな待受基地局３０となる。
【００５０】
一方、ＣＰＵ４０１は、上記ステップＳ２０３において、書替処理が継続中であると判定した場合は、新たに検出された周辺基地局３０について当該検出結果を無効として（ステップＳ２０７）、上記ステップＳ２０１に戻る。なお、検出結果を無効とする代わりに、待受基地局３０の変更条件を満たす周辺基地局３０の検出自体を行わないようにしてもよい。
【００５１】
図８は、基地局選択処理２の動作を説明するための図である。なお、同図においては、タイミングＴ１以前に待受基地局として基地局３０ａが選択されているものとする。基地局選択処理２では、タイミングＴ１において、待受基地局３０の変更条件を満たした基地局３０ｂを検出し、この基地局３０ｂからの報知情報の受信を開始してから、受信した報知情報を用いて基地局情報記憶領域４０９ａの情報を書き替えるまでは（タイミングＴ３）、新たに待受基地局３０の変更条件を満たした周辺基地局３０を検出した場合であっても、この検出結果を無効とする。したがって、タイミングＴ２において新たに検出された基地局３０ｃについては当該検出結果が無効となり、基地局３０ｂを待受基地局３０とするための書替処理が継続される。よって、タイミングＴ３に到達すると基地局３０ｂが待受基地局３０となる。
【００５２】
一方、従来の移動局では、図８に示すタイミングＴ２において待受基地局３０の変更条件を満たした基地局３０ｃを新たに検出すると、基地局３０ｂを待受基地局３０とするための書替処理を中止し、基地局３０ｃを待受基地局３０とするための書替処理を行う。したがって、タイミングＴ４に到達する前までは、待受基地局３０が基地局３０ａのままであり、タイミングＴ４で基地局３０ｃが待受基地局３０となる。
【００５３】
ここで、タイミングＴ３からタイミングＴ４にかけては、基地局３０ａとの通信品質が各基地局３０ａ，３０ｂ，３０ｃの中で最低である。にも係らず、従来の移動局では、タイミングＴ４に到達するまで待受基地局３０が基地局３０ａのままであるから、この時点（タイミングＴ３〜タイミングＴ４）で移動局が通信を行おうとすると、基地局３０ａとの無線コネクションが確立できず、通信ができなくなってしまうおそれがある。本実施形態に係る携帯電話機４０によれば、このような状況が発生することを防ぎ、自機４０の通信先となる基地局３０をより適切に選択することができる。
【００５４】
なお、第２実施形態における以上の説明は、各セル３５で同一の周波数が使用されている場合等、待受基地局３０の変更が同一周波数を使用している基地局３０間で行われた場合、あるいは待受基地局３０の変更が異周波数を使用している基地局３０間で行われるものの、携帯電話機４０が２つ以上の受信機を有し、複数の周波数を同時に使用することができる場合である。これらの場合は、携帯電話機４０が、通信可能な各基地局３０との待ち受け状態を維持しつつ、その中の１の基地局３０から報知情報を受信することができる。
【００５５】
これに対し、各基地局３０で使用する周波数が異なり、かつ携帯電話機４０が受信機を１つしか持たず複数の周波数を同時に使用することのできない場合、携帯電話機４０は、１つの受信機で、使用する周波数を切り替えながら各基地局３０との通信を行わなければならない。このため、このような携帯電話機４０では、周波数が異なる各基地局３０との待ち受け状態を維持しつつ、その中の１の基地局３０から報知情報を受信することができない。すなわち、ある基地局３０からの報知情報の受信中には、この基地局３０と使用する周波数が異なる他の基地局３０について待ち受け状態を維持できなくなる。
【００５６】
例えば、図８において、基地局３０ｂと基地局３０ｃが同一周波数で、基地局３０ａが異周波数の場合、従来の移動局では、タイミングＴ１からタイミングＴ２の前までは基地局３０ｂの報知情報を、また、タイミングＴ２からタイミングＴ４の前までは基地局３０ｃの報知情報を受信することになる。このため、タイミングＴ１からタイミングＴ４までの間、基地局３０ａとの待ち受けができなくなる。従来の移動局では、タイミングＴ４に到達するまで、全ての基地局３０ａ，３０ｂ，３０ｃとの待ち受け状態を回復することできない。
【００５７】
これに対し、基地局選択処理２であれば、受信機を１つしか持たず複数の周波数を同時に使用することのできない携帯電話機４０であっても、タイミングＴ２において検出された基地局３０ｃについての書替処理がキャンセルされるため、タイミングＴ３に到達すると、全ての基地局３０ａ，３０ｂ，３０ｃとの待ち受け状態が回復できる。
【００５８】
［Ｃ．第３実施形態］
図９および図１０は、携帯電話機４０においてＣＰＵ４０１により実行される基地局選択処理３の動作を例示するフローチャートである。なお、この基地局選択処理３は、第２実施形態において説明した基地局選択処理２（図７参照）とステップＳ２０１〜Ｓ２０６までの処理が同じであるため、異なる処理を行なうステップについて説明を行うものとする。
【００５９】
まず、ＣＰＵ４０１は、書替処理が継続している間は、新たに待受基地局３０の変更条件を満たした周辺基地局３０を検出した場合であっても、この検出結果を保留する（ステップＳ３０１）。具体的に説明すると、ＣＰＵ４０１は、書替処理中に待受基地局３０の変更条件を満たしたとして新たに検出された周辺基地局３０については、例えば基地局ＩＤを保留基地局３０の情報として不揮発性メモリ４０９に記憶する。また、ＣＰＵ４０１は、新たに検出された周辺基地局３０についての書替処理を行うことを防ぐため、この検出結果を無効として上記ステップＳ２０１に戻る。
【００６０】
そして、ＣＰＵ４０１は、書替処理中の周辺基地局３０について、報知情報を受信して基地局情報記憶領域４０９ａの情報を書き替えた後（ステップＳ２０６）、まず、不揮発性メモリ４０９に保留基地局３０の情報が記憶されているか否かを判別する（ステップＳ３０２）。その結果、ＣＰＵ４０１は、保留基地局３０の情報がない場合は、基地局選択処理３を終える。
【００６１】
また、ＣＰＵ４０１は、保留基地局３０の情報がある場合は、保留基地局３０との通信品質と、待受基地局３０との通信品質とを測定した後、両者を比較する（ステップＳ３０３）。その結果、ＣＰＵ４０１は、保留基地局３０との通信品質が待受基地局３０との通信品質以下である場合は、待受基地局３０を変更する必要がないと判定し（ステップＳ３０４：ＮＯ）、不揮発性メモリ４０９内の保留基地局３０の情報をクリアして（ステップＳ３０６）、基地局選択処理３を終える。
【００６２】
一方、ＣＰＵ４０１は、保留基地局３０との通信品質が待受基地局３０との通信品質より高い場合に、待受基地局３０を変更する必要があると判定する（ステップＳ３０４：ＹＥＳ）。この場合、ＣＰＵ４０１は、保留基地局３０の報知情報を受信して基地局情報記憶領域４０９ａの情報を書き替える（ステップＳ３０５）。これにより保留基地局３０が新たな待受基地局３０となる。そして、不揮発性メモリ４０９内の保留基地局３０の情報をクリアして（ステップＳ３０６）、基地局選択処理３を終える。
【００６３】
図１１は、基地局選択処理３の動作を説明するための図である。なお、同図においては、タイミングＴ１以前に待受基地局として基地局３０ａが選択されているものとする。基地局選択処理３では、タイミングＴ１において、待受基地局３０の変更条件を満たした基地局３０ｂを検出し、この基地局３０ｂからの報知情報の受信を開始してから、受信した報知情報を用いて基地局情報記憶領域４０９ａの情報を書き替えるまでは（タイミングＴ３）、新たに待受基地局３０の変更条件を満たした周辺基地局３０を検出した場合であっても、この検出結果を保留とする。同図に示す例では、タイミングＴ２において検出された基地局３０ｃが保留基地局３０となる。
【００６４】
そして、タイミングＴ３に到達して基地局３０ｂを待受基地局３０とした後、保留基地局３０（基地局３０ｃ）との通信品質と、待受基地局３０（基地局３０ｂ）との通信品質が測定され、比較される。同図に示す例では、タイミングＴ３において、基地局３０ｃとの通信品質が基地局３０ｂとの通信品質より高い。したがって、待受基地局３０を基地局３０ｂから基地局３０ｃへ変更する必要があると判定され（タイミングＴ４）、この時点から基地局３０ｃの報知情報の受信が開始される。以上により、タイミングＴ３の前までは基地局３０ａが待受基地局３０となり、タイミングＴ３からタイミングＴ５の前までは基地局３０ｂが待受基地局３０となり、タイミングＴ５以降では基地局３０ｃが待受基地局３０となる。
【００６５】
したがって、第２実施形態と同様に、携帯電話機４０の通信先となる基地局３０をより適切に選択することができるとともに、書替処理の途中で新たに待受基地局３０の変更条件を満たした周辺基地局３０については、待受基地局３０を変更し終えるまで保留とすることができる。
【００６６】
［Ｄ．第４実施形態］
図１２および図１３は、携帯電話機４０においてＣＰＵ４０１により実行される基地局選択処理４の動作を例示するフローチャートである。なお、この基地局選択処理４は、第２実施形態において説明した基地局選択処理２（図７参照）とステップＳ２０１〜Ｓ２０６までの処理が同じであるため、異なる処理を行なうステップについて説明を行うものとする。
【００６７】
ＣＰＵ４０１は、書替処理が継続している間に、新たに待受基地局３０の変更条件を満たした周辺基地局３０を検出した場合（ステップＳ２０３：ＹＥＳ）、ステップＳ４０１に移行する。そして、ＣＰＵ４０１は、新たに検出された周辺基地局３０との通信品質と、書替処理中の周辺基地局３０との通信品質とを測定した後（ステップＳ４０１）、以下に示す（式３）が成立するか否かを判定する（ステップＳ４０２）。
【式３】
2004357006.tif 000006
【００６８】
なお、（式３）において、「ｙ」は、通信品質の加減量を示すパラメータであり、“０”以上の値を取るものとする。このパラメータ「ｙ」は、不揮発性メモリ４０９に記憶されており、（式１）における「Ｑｈｔｓｔ」と同様の役割を果たす。また、このパラメータ「ｙ」の値は、固定値であってもよいが、例えば、基地局３０や図示を省略した交換局が、移動電話網１０のトラフィックや時間帯に応じて異なる値を設定し、携帯電話機４０に通知することもできる。
【００６９】
ＣＰＵ４０１は、ステップＳ４０２において（式３）が成立していないと判定した場合は（ステップＳ４０２：ＮＯ）、書替処理中の周辺基地局３０を待受基地局３０とするため、新たに検出された周辺基地局３０についてはこの検出結果を無効とし、書替処理を継続させる（ステップＳ４０３）。
【００７０】
また、ＣＰＵ４０１は、（式３）が成立していると判定した場合は（ステップＳ４０２：ＹＥＳ）、新たに検出された周辺基地局３０を待受基地局３０とするため、書替処理を中止するとともに、新たに検出された周辺基地局３０について報知情報を受信して基地局情報記憶領域４０９ａの情報を書き替えた後（ステップＳ４０４）、基地局選択処理４を終える。
【００７１】
図１４は、基地局選択処理４の動作を説明するための図である。なお、同図においては、タイミングＴ１以前に待受基地局として基地局３０ａが選択されているものとする。基地局選択処理４では、タイミングＴ１において、待受基地局３０の変更条件を満たした基地局３０ｂを検出し、この基地局３０ｂからの報知情報の受信を開始してから、受信した報知情報を用いて基地局情報記憶領域４０９ａの情報を書き替えるまでに（タイミングＴ３）、新たに待受基地局３０の変更条件を満たした基地局３０ｃを検出すると（タイミングＴ２）、この時点における、基地局３０ｃとの通信品質と、書替処理中の基地局３０ｂとの通信品質とを測定し、（式３）を用いて両者を比較する。
【００７２】
そして、比較結果に基づいて、新たに検出された基地局３０ｃを待受基地局３０とするのか、それとも書替処理中の基地局３０ｂを待受基地局３０とするのかを決定する。同図に示す例では、タイミングＴ２において、新たに検出された基地局３０ｃとの通信品質は、書替処理中の基地局３０ｂとの通信品質にパラメータ「ｙ」の値を加算して求められる通信品質Ｙより明らかに低い。よって、書替処理中の基地局３０ｂを待受基地局３０とすることが決定され、タイミングＴ２以降、基地局３０ｂについての書替処理が継続され、タイミングＴ３に到達すると基地局３０ｂが待受基地局３０となる。
【００７３】
従来の移動局の場合、図１４に示すタイミングＴ２において新たに基地局３０ｃを検出すると、基地局３０ｂとの通信品質が基地局３０ｃとの通信品質より高いにも係らず、先に待受基地局３０の変更条件を満たした基地局３０ｂについての書替処理を中止し、後から待受基地局３０の変更条件を満した基地局３０ｃについての書替処理に移行してしまう。
以上の比較からも明らかなように、本実施形態に係る携帯電話機４０は、自機４０の通信先となる基地局３０を適切に選択することができる。
【００７４】
なお、各基地局３０で使用する周波数が異なり、かつ携帯電話機４０が受信機を１つしか持たず複数の周波数を同時に使用することのできない場合、前述したように、携帯電話機４０では、周波数が異なる各基地局３０との待ち受け状態を維持しつつ、その中の１の基地局３０から報知情報を受信することができない。
【００７５】
そこで、このような場合を考慮して、前述した（式３）におけるパラメータ「ｙ」の値を、待受基地局３０の変更が同一周波数の基地局３０間で行われる場合と、異周波数の基地局３０間で行われる場合とで異なる値としてもよい。この場合、異周波数の基地局３０間で待受基地局３０が変更される場合に用いる「ｙ」の値を、同一周波数の基地局３０間で待受基地局３０が変更される場合に用いる「ｙ」の値よりも大きくするとよい。
【００７６】
上記各実施形態において携帯電話機４０は、ＲＯＭ４０７や不揮発性メモリ４０９に記憶されているプログラムに従って、基地局選択処理１〜４を実行するが、このような本発明に係る処理を実行するためのプログラムを通信によって携帯電話機４０に提供することができる。勿論、このようなプログラムを記録媒体に記録して提供することも可能である。また、本発明は、移動パケット通信網に収容される、パケット通信機能を有する携帯電話機や、公衆無線ＬＡＮに収容される無線端末、ＰＨＳ（Ｐｅｒｓｏｎａｌ  Ｈａｎｄｙｐｈｏｎｅ  Ｓｙｓｔｅｍ：登録商標）端末等の移動局に適用可能である。また、移動局には、無線ＬＡＮカードのような移動通信制御用の通信モジュールが含まれる。
【００７７】
【発明の効果】
以上説明したように本発明によれば、移動局において通信先となる基地局の選択に要する処理時間を短縮することができる。また、移動局において通信先となる基地局を適切に選択することができる。
【図面の簡単な説明】
【図１】本発明の第１実施形態に係る移動電話網の構成を例示する図である。
【図２】同実施形態に係る携帯電話機のハードウェア構成を例示するブロック図である。
【図３】同実施形態に係る携帯電話機において、ＣＰＵにより実行される基地局選択処理１の動作を例示するフローチャートである。
【図４】同実施形態に係る基地局選択処理１の動作を示すタイミングチャートである。
【図５】同実施形態に係り、報知情報の受信開始条件として（式２）を採用した場合について説明するための図である。
【図６】同実施形態に係り、報知情報の受信開始タイミングの変形例について説明するための図である。
【図７】第２実施形態に係る基地局選択処理２の動作を例示するフローチャートである。
【図８】同実施形態に係る基地局選択処理２の動作を説明するための図である。
【図９】第３実施形態に係る基地局選択処理３の動作を例示するフローチャート（その１）である。
【図１０】第３実施形態に係る基地局選択処理３の動作を例示するフローチャート（その２）である。
【図１１】同実施形態に係る基地局選択処理３の動作を説明するための図である。
【図１２】第４実施形態に係る基地局選択処理４の動作を例示するフローチャート（その１）である。
【図１３】第４実施形態に係る基地局選択処理４の動作を例示するフローチャート（その２）である。
【図１４】同実施形態に係る基地局選択処理４の動作を説明するための図である。
【図１５】従来の移動局で行われていた基地局の選択動作を説明するための図（その１）である。
【図１６】従来の移動局で行われていた基地局の選択動作を説明するための図（その２）である。
【符号の説明】
１０……移動電話網、３０ａ，３０ｂ，３０ｃ……基地局、３５ａ，３５ｂ，３５ｃ……セル、４０……携帯電話機、４０１……ＣＰＵ、４０３……通話処理部、４０４……無線通信部、４０６……記憶部、４０９……不揮発性メモリ、４０９ａ……基地局情報記憶領域。
【図１】
2004357006.tif 000007
【図２】
2004357006.tif 000008
【図３】
2004357006.tif 000009
【図４】
2004357006.tif 000010
【図５】
2004357006.tif 000011
【図６】
2004357006.tif 000012
【図７】
2004357006.tif 000013
【図８】
2004357006.tif 000014
【図９】
2004357006.tif 000015
【図１０】
2004357006.tif 000016
【図１１】
2004357006.tif 000017
【図１２】
2004357006.tif 000018
【図１３】
2004357006.tif 000019
【図１４】
2004357006.tif 000020
【図１５】
2004357006.tif 000021
【図１６】
2004357006.tif 000022